(57)【要約】【課題】複数種類の価格が設定された商品についての価格を含む商品情報を各消費者に簡単かつ適切に提示する。【解決手段】商品情報提供サーバ１０が、各商品の基本価格を含む商品情報を記憶する商品マスタＤＢ１１と、消費者の属性と、その属性に応じて商品の価格を調整するための調整情報（調整価格特定情報）とが対応付けされた価格調整情報を記憶する価格調整ＤＢ１３とを備え、消費者端末２１からの商品情報の提供要求があったときに、価格調整情報を参照して消費者の属性に応じた各商品の価格の調整内容を決定し、決定した調整内容に応じて、各商品の基本価格を含む商品情報が掲載された商品情報閲覧画面における価格表示を調整し、価格表示が調整された商品情報閲覧画面を消費者端末２１に送信する。【選択図】図５
2010257088.tif 000002
【特許請求の範囲】
【請求項１】
食物や飲料物の商品に関する商品情報を消費者が使用する消費者端末に対して通信ネットワークを介して提供する商品情報提供サーバであって、
各商品の基本価格を含む商品情報を記憶する商品情報記憶手段と、
消費者の属性と、当該属性に応じて商品の価格を調整するための調整情報とが対応付けされた価格調整情報を記憶する価格調整情報記憶手段と、
前記消費者端末からの商品情報提供要求があったときに、前記価格調整情報を参照して消費者の属性に応じた各商品の価格の調整内容を決定する価格調整内容決定手段と、
該価格調整内容決定手段によって決定された調整内容に応じて、各商品の基本価格を含む商品情報が掲載された商品情報閲覧画面における価格表示を調整する価格表示調整手段と、
該価格表示調整手段によって価格表示が調整された商品情報閲覧画面を前記消費者端末に送信する商品情報閲覧画面送信手段とを含む
ことを特徴とする商品情報提供サーバ。
【請求項２】
調整情報は、基本価格からの変動割合を示す変動情報であり、
前記価格調整内容決定手段は、調整内容として、基本価格からの変動割合を決定する
請求項１記載の商品情報提供サーバ。
【請求項３】
前記価格表示調整手段は、前記価格調整内容決定手段によって決定された変動割合を表示する変動割合表示領域を商品情報閲覧画面の表示領域内に付加することで、商品情報閲覧画面における価格表示を調整する
請求項２記載の商品情報提供サーバ。
【請求項４】
調整情報は、調整後の価格を示す調整価格情報であり、
前記価格調整内容決定手段は、調整内容として、調整後の価格を決定する
請求項１記載の商品情報提供サーバ。
【請求項５】
前記価格表示調整手段は、前記価格調整内容決定手段によって決定された調整後の価格を表示する調整後価格表示領域を商品情報閲覧画面の表示領域内に付加するとともに、当該表示領域内における調整前の基本価格が表示されている基本価格表示領域上に当該基本価格を無効とすることを示す無効表示を追加することで、商品情報閲覧画面における価格表示を調整する
請求項４記載の商品情報提供サーバ。
【請求項６】
前記価格表示調整手段は、前記価格調整内容決定手段によって決定された調整後の価格を表示する調整後価格表示領域を、商品情報閲覧画面の表示領域内における調整前の基本価格が表示されている基本価格表示領域上に付加することで、商品情報閲覧画面における価格表示を調整する
請求項４記載の商品情報提供サーバ。
【請求項７】
商品情報閲覧画面に表示された商品の注文を受け付ける注文受付手段と、
該注文受付手段によって注文が受け付けられた商品についての該当する消費者に対する販売価格を算出する販売価格算出手段とを含み、
前記商品価格算出手段は、前記価格調整内容決定手段によって決定された調整内容に従って商品の価格を算出する
請求項１から請求項６のうちいずれかに記載の商品情報提供サーバ。
【請求項８】
食物や飲料物の商品に関する商品情報を消費者が使用する消費者端末に対して通信ネットワークを介して提供するための商品情報提供処理プログラムであって、
各商品の基本価格を含む商品情報を記憶する商品情報記憶手段と、消費者の属性と、当該属性に応じて商品の価格を調整するための調整情報とが対応付けされた価格調整情報を記憶する価格調整情報記憶手段とを備えたコンピュータに、
前記消費者端末からの商品情報提供要求があったときに、前記価格調整情報を参照して消費者の属性に応じた各商品の価格の調整内容を決定する価格調整内容決定処理と、
該価格調整内容決定処理にて決定した調整内容に応じて、各商品の基本価格を含む商品情報が掲載された商品情報閲覧画面における価格表示を調整する価格表示調整処理と、
該価格表示調整処理にて価格表示を調整した商品情報閲覧画面を前記消費者端末に送信する商品情報閲覧画面送信処理とを
実行させるための商品情報提供処理プログラム。
【請求項９】
調整情報は、基本価格からの変動割合を示す変動情報であり、
前記価格調整内容決定処理では、調整内容として、基本価格からの変動割合を決定する処理を
実行させる請求項８記載の商品情報提供処理プログラム。
【請求項１０】
前記価格表示調整処理では、前記価格調整内容決定処理にて決定した変動割合を表示する変動割合表示領域を商品情報閲覧画面の表示領域内に付加することで、商品情報閲覧画面における価格表示を調整する処理を
実行させる請求項９記載の商品情報提供処理プログラム。
【請求項１１】
調整情報は、調整後の価格を示す調整価格情報であり、
前記価格調整内容決定処理では、調整内容として、調整後の価格を決定する処理を
実行させる請求項８記載の商品情報提供処理プログラム。
【請求項１２】
前記価格表示調整処理では、前記価格調整内容決定処理にて決定した調整後の価格を表示する調整後価格表示領域を商品情報閲覧画面の表示領域内に付加するとともに、当該表示領域内における調整前の基本価格が表示されている基本価格表示領域上に当該基本価格を無効とすることを示す無効表示を追加することで、商品情報閲覧画面における価格表示を調整する処理を
実行させる請求項１１記載の商品情報提供処理プログラム。
【請求項１３】
前記価格表示調整処理では、前記価格調整内容決定処理にて決定した調整後の価格を表示する調整後価格表示領域を、商品情報閲覧画面の表示領域内における調整前の基本価格が表示されている基本価格表示領域上に付加することで、商品情報閲覧画面における価格表示を調整する処理を
【請求項１４】
コンピュータに、
さらに、商品情報閲覧画面に表示された商品の注文を受け付ける注文受付処理と、
該注文受付処理にて注文を受け付けた商品についての該当する消費者に対する販売価格を算出する販売価格算出処理とを実行させ、
前記商品価格算出処理では、前記価格調整内容決定処理にて決定した調整内容に従って商品の価格を算出する処理を
実行させる請求項８から請求項１３のうちいずれかに記載の商品情報提供処理プログラム。
【発明の詳細な説明】
【技術分野】
【０００１】
本発明は、食物や飲料物の商品に関する商品情報を消費者が使用する消費者端末に対して通信ネットワークを介して提供する商品情報提供サーバ、及び商品情報提供処理プログラムに関する。
【背景技術】
【０００２】
従来から、インターネットなどの通信ネットワークを介して食品や飲料物などの商品の情報を提供したりその商品の注文を受け付けたりする商品注文サイトを運営するシステムが各種提案され運用されている（例えば、特許文献１−２参照）。
【先行技術文献】
【特許文献】
【０００３】
【特許文献１】特開２００６−３１６５５号公報
【特許文献２】特開２００７−１３３７９２号公報
【発明の概要】
【発明が解決しようとする課題】
【０００４】
従来のシステムでは、商品の情報を提供するサイトにおいて、各商品にそれぞれ対応する商品の価格が表示される。この場合、同一商品について複数種類の価格を表示することが考えられるが、価格を表示する領域を広く確保する必要が生じてしまうという問題があった。また、複数の価格を提示することは消費者にとって分かり辛く不正競争の元になってしまうおそれがあるという問題もあった。さらに、価格別に異なる別個のサイトを提供することも考えられるが、システムの構築のために多大なコストを必要とすることになってしまうとともに、最安値のサイトのＵＲＬ（Uniform Resource Locator）や商品番号が知られてしまうと、誰でも最安値での購入が可能となってしまうという問題もあった。
【０００５】
本発明は、上述した問題を解消し、複数種類の価格が設定された商品についての価格を含む商品情報を各消費者に簡単かつ適切に提示することができるようにすることを目的とする。
【課題を解決するための手段】
【０００６】
本発明の商品情報提供サーバは、食物や飲料物の商品に関する商品情報を消費者が使用する消費者端末に対して通信ネットワークを介して提供する商品情報提供サーバであって、各商品の基本価格を含む商品情報を記憶する商品情報記憶手段と、消費者の属性と、当該属性に応じて商品の価格を調整するための調整情報とが対応付けされた価格調整情報を記憶する価格調整情報記憶手段と、前記消費者端末からの商品情報提供要求があったときに、前記価格調整情報を参照して消費者の属性に応じた各商品の価格の調整内容を決定する価格調整内容決定手段と、該価格調整内容決定手段によって決定された調整内容に応じて、各商品の基本価格を含む商品情報が掲載された商品情報閲覧画面における価格表示を調整する価格表示調整手段と、該価格表示調整手段によって価格表示が調整された商品情報閲覧画面を前記消費者端末に送信する商品情報閲覧画面送信手段とを含むことを特徴とする。
【０００７】
上記の構成としたことで、複数種類の価格が設定された商品についての価格を含む商品情報を各消費者に簡単かつ適切に提示することができるようになる。
【０００８】
調整情報は、基本価格からの変動割合を示す変動情報であり、前記価格調整内容決定手段は、調整内容として、基本価格からの変動割合を決定する構成とされていてもよい。
【０００９】
前記価格表示調整手段は、前記価格調整内容決定手段によって決定された変動割合を表示する変動割合表示領域を商品情報閲覧画面の表示領域内に付加することで、商品情報閲覧画面における価格表示を調整する構成とされていてもよい。
【００１０】
調整情報は、調整後の価格を示す調整価格情報であり、前記価格調整内容決定手段は、調整内容として、調整後の価格を決定する構成とされていてもよい。
【００１１】
前記価格表示調整手段は、前記価格調整内容決定手段によって決定された調整後の価格を表示する調整後価格表示領域を商品情報閲覧画面の表示領域内に付加するとともに、当該表示領域内における調整前の基本価格が表示されている基本価格表示領域上に当該基本価格を無効とすることを示す無効表示を追加することで、商品情報閲覧画面における価格表示を調整する構成とされていてもよい。
【００１２】
前記価格表示調整手段は、前記価格調整内容決定手段によって決定された調整後の価格を表示する調整後価格表示領域を、商品情報閲覧画面の表示領域内における調整前の基本価格が表示されている基本価格表示領域上に付加することで、商品情報閲覧画面における価格表示を調整する構成とされていてもよい。
【００１３】
商品情報閲覧画面に表示された商品の注文を受け付ける注文受付手段と、該注文受付手段によって注文が受け付けられた商品についての該当する消費者に対する販売価格を算出する販売価格算出手段とを含み、前記商品価格算出手段は、前記価格調整内容決定手段によって決定された調整内容に従って商品の価格を算出する構成とされていてもよい。
【００１４】
また、本発明の情報提供処理プログラムは、食物や飲料物の商品に関する商品情報を消費者が使用する消費者端末に対して通信ネットワークを介して提供するための商品情報提供処理プログラムであって、各商品の基本価格を含む商品情報を記憶する商品情報記憶手段と、消費者の属性と、当該属性に応じて商品の価格を調整するための調整情報とが対応付けされた価格調整情報を記憶する価格調整情報記憶手段とを備えたコンピュータに、前記消費者端末からの商品情報提供要求があったときに、前記価格調整情報を参照して消費者の属性に応じた各商品の価格の調整内容を決定する価格調整内容決定処理と、該価格調整内容決定処理にて決定した調整内容に応じて、各商品の基本価格を含む商品情報が掲載された商品情報閲覧画面における価格表示を調整する価格表示調整処理と、該価格表示調整処理にて価格表示を調整した商品情報閲覧画面を前記消費者端末に送信する商品情報閲覧画面送信処理とを実行させるためのものである。
【発明の効果】
【００１５】
本発明によれば、複数種類の価格が設定された商品についての価格を含む商品情報を各消費者に簡単かつ適切に提示することができるようになる。
【図面の簡単な説明】
【００１６】
【図１】本発明の一実施の形態における商品情報提供システムの構成の例を示すブロック図である。
【図２】商品マスタの例を示す説明図である。
【図３】ユーザ情報の例を示す説明図である。
【図４】価格調整情報の例を示す説明図である。
【図５】商品情報提供処理の例を示すフローチャートである。
【図６】ログイン画面の例を示す説明図である。
【図７】商品情報閲覧画面の例を示す説明図である。
【図８】商品情報閲覧画面の例を示す説明図である。
【図９】商品情報閲覧画面の例を示す説明図である。
【図１０】商品情報閲覧画面の例を示す説明図である。
【発明を実施するための形態】
【００１７】
以下、本発明の一実施の形態について図面を参照して説明する。
図１は、本発明の一実施の形態に係る商品情報提供システム１００の構成の例を示すブロック図である。図１に示すように、商品情報提供システム１００は、商品情報提供サーバ１０と、消費者端末２１〜２Ｎ（Ｎ＝１，２、・・・）とを含む。商品情報提供サーバ１０、および消費者端末２１〜２Ｎは、それぞれ、例えばインターネットなどの通信ネットワーク３０に接続されている。
【００１８】
商品情報提供サーバ１０は、ＷＷＷサーバなどの情報処理装置によって構成される。消費者端末２１〜２Ｎは、それぞれ、パーソナルコンピュータや携帯通信端末などの情報処理装置によって構成される。
【００１９】
商品情報提供サーバ１０は、例えば商品情報提供システム１００のシステム管理者によって管理されるサーバであり、例えば店舗にて販売される食品や飲料などの商品に関する商品情報を消費者端末２１〜２Ｎに対して提供する処理を実行する機能（商品情報閲覧サイトとしての機能）や、消費者端末２１〜２Ｎから購入希望の商品の注文を受け付ける処理を実行する機能（商品注文サイトとしての機能）などの各種の機能を有する。
【００２０】
商品情報提供サーバ１０は、商品に関連する各種の情報である商品情報を示す商品マスタが格納される商品マスタＤＢ１１と、本システム１００にユーザ登録している消費者に関するユーザ情報が格納されるユーザＤＢ１２と、後述する価格調整情報が格納される価格調整ＤＢ１３とを備えている。なお、商品マスタＤＢ１１、ユーザＤＢ１２、及び価格調整ＤＢ１３は、商品情報提供サーバ１０の内部にあっても外部にあってもよい。
【００２１】
「商品マスタ」は、例えば図２に示すように、該当商品の商品名、該当商品を一意に特定するために付与されている商品コード（商品マスタコード：商品識別情報の一例）、該当商品を示す画像、該当商品の基本価格を含む複数段階の価格、その他、該当する商品の生産履歴や流通履歴などの該当商品に関わる各種の情報が対応付けされたものである。本例では、商品の価格として、基本価格（定価などの通常適用される価格）を示す価格Ａ、特定の消費者（例えば常連の消費者）用に基本価格より値下げされた価格Ｂ、特別の消費者（例えば上得意の消費者）用に価格Ｂよりさらに値下げされた価格Ｃの３種類が設定されている。商品の価格は、基本価格のみが設定されるようにしてもよいし、基本価格を含む２種類あるいは４種類以上設定されるようにしてもよい。
【００２２】
「ユーザ情報」は、例えば図３に示すように、ユーザ名、ユーザを一意に特定可能なユーザＩＤ、ログイン時に使用されるパスワード、ユーザの常連度などによってシステム管理者によって定められ設定されるユーザ属性などの該当ユーザに関わる各種の情報が対応付けされたものである。
【００２３】
「価格調整情報」は、例えば図４に示すように、各ユーザに設定されるそれぞれの属性に、調整後の価格を特定可能な調整価格特定情報が対応付けされたものである。調整価格特定情報としては、調整なし（すなわち価格Ａ）、価格Ｂ、価格Ｃ、１０％ＯＦＦ（基本価格から１０％割引）、２０％ＯＦＦ（基本価格から２０％割引）などの調整後の価格を特定可能な情報が用いられる。
【００２４】
次に、本例の商品情報提供システム１００の動作について説明する。
図５は、本例の商品情報提供システム１００における情報提供処理の例を示すフローチャートである。ここでは、本システムの登録ユーザであるユーザＡが管理する消費者端末２１からの要求に応じて商品情報閲覧画面を作成して提供する場合を例に説明する。
【００２５】
商品情報提供処理において、先ず、消費者端末２１は、ユーザＡの操作に応じて商品情報提供サーバ１０にアクセスする（ステップＳ１０１）。ステップＳ１０１では、例えば、商品履歴情報提供サーバ１０の管理者が提供している商品情報提供サイトのＵＲＬによりアクセスされる。
【００２６】
消費者端末２１からのアクセスがあると、商品情報提供サーバ１０は、ユーザＩＤ等を入力してログインするためのログイン画面を生成し、消費者端末２１に送信する（ステップＳ１０２）。
【００２７】
消費者端末２１は、商品情報提供サーバ１０からのログイン画面を、自己が備える表示装置に表示する（ステップＳ１０３）。ログイン画面には、例えば図６に示すように、ログインを希望しているユーザＡが自己に付与されているユーザＩＤとパスワードを入力するための入力領域１０１と、ユーザＩＤとパスワードを入力したあとログインする際に押下されるログインボタン１０２などが設けられている。
【００２８】
ログイン画面が表示されると、ユーザＡは、自己に付与されているユーザＩＤとパスワードを入力領域１０１に入力する。
【００２９】
ユーザＩＤとパスワードの入力を受け付けたあと、消費者端末２０は、ログインボタン１０２の押下を受け付けると、ユーザＡによって入力されたユーザＩＤとパスワードを提示したログイン要求を商品情報提供サーバ１０に送信する（ステップＳ１０４）。
【００３０】
ログイン要求を受信すると、商品情報提供サーバ１０は、提示されたユーザＩＤとパスワードとを用いた認証処理を行い、認証した場合には、ユーザＤＢに格納されているユーザ情報を参照し、認証したユーザＡに設定されている属性を確認する（ステップＳ１０５）。
【００３１】
次いで、商品情報提供サーバ１０は、価格調整ＤＢ１３に格納されている価格調整情報を参照し、ステップＳ１０５にて確認した属性に対応する調整価格特定情報を特定し、必要に応じて価格調整内容を決定する（ステップＳ１０６）。
【００３２】
ステップＳ１０６では、例えばステップＳ１０５にて確認した属性が属性Ａであった場合には、調整価格特定情報が「調整なし」となるため、基本価格のまま価格調整を行わないことに決定される。また、例えばステップＳ１０５にて確認した属性が属性Ｂであった場合には、調整価格特定情報が「１０％ＯＦＦ」となるため、基本価格から１０％割引する旨の価格調整内容を決定する。さらに、例えばステップＳ１０５にて確認した属性が属性Ｃであった場合には、調整価格特定情報が「価格Ｂ」となるため、基本価格である価格Ａから価格Ｂに変更する旨の価格調整内容を決定する。
【００３３】
次いで、商品情報提供サーバ１０は、決定した価格調整内容を反映させた商品情報閲覧画面を作成し（ステップＳ１０７）、作成した商品情報閲覧画面を消費者端末２１に送信する。
【００３４】
ステップＳ１０７では、商品情報提供サーバ１０は、例えばステップＳ１０６にて価格調整を行わないことに決定した場合には、基本価格である価格Ａが商品価格として表示された通常の商品表示領域を含む商品情報閲覧画面を作成する。図７は、価格Ａが商品価格として表示された通常の商品表示領域を含む商品情報閲覧画面の例を示す説明図である。図７に示すように、商品情報閲覧画面には、基本価格である価格Ａが商品価格として表示された通常の商品表示領域１０３と、ユーザが購入することを目的に例えばカーソルＰを商品上に合わせてマウスクリックすることによって選択した商品の内容を注文内容として表示する注文内容表示領域１０４と、注文内容を決定する際に押下される決定ボタン１０５とが設けられている。属性ＡであるユーザＡに提供する商品情報閲覧画面としては、図７に示すような画面が作成される。
【００３５】
一方、例えばステップＳ１０６にて基本価格から１０％割引する旨の価格調整内容を決定した場合には、商品情報提供サーバ１０は、ステップＳ１０７にて、例えば、基本価格である価格Ａが商品価格として表示された商品表示領域上の所定位置に１０％割引する旨の表示を付加した商品情報閲覧画面を作成する。図８は、１０％割引する旨の表示が付加された商品表示領域を含む商品情報閲覧画面の例を示す説明図である。図８に示すように、この場合における商品情報閲覧画面は、図７に示した通常の画面と比較すると、基本価格である価格Ａが商品価格として表示された通常の商品表示領域１０３上に１０％割引する旨の割引表示１０６が付加されている点で異なっている。商品情報提供サーバ１０は、図７に示すような通常の画面に割引表示１０６を重畳することで、図８に示すような１０％割引する旨の表示がなされた商品情報閲覧画面を作成する。
【００３６】
また、例えばステップＳ１０６にて基本価格から価格Ｂに変更する旨の価格調整内容を決定した場合には、商品情報提供サーバ１０は、ステップＳ１０７にて、例えば、基本価格である価格Ａが商品価格として表示された商品表示領域上の所定位置に価格Ｂの表示を付加した商品情報閲覧画面を作成する。図９は、価格Ｂの表示が付加された商品表示領域を含む商品情報閲覧画面の例を示す説明図である。図９に示すように、この場合における商品情報閲覧画面は、図７に示した通常の画面と比較すると、個別商品が表示されている個別商品表示領域１０３ａ、１０３ｂ上の基本価格である価格Ａが表示されている部分に、各商品についての価格Ｂを示す変更価格表示１０７ａ，１０７ｂが付加されている点で異なっている。商品情報提供サーバ１０は、図７に示すような通常の画面における価格Ａが表示されている部分に、該当商品についての価格Ｂを示す変更価格表示１０７ａ，１０７ｂを重畳することで、図９に示すような価格Ａがマスクされて価格Ｂの表示がなされた商品情報閲覧画面を作成する。
【００３７】
なお、変更価格の表示を追加する場合に、図９に示すような商品情報閲覧画面とせずに、例えば図１０に示すような基本価格（価格Ａ）を認識可能に変更価格の表示を追加した商品情報閲覧画面を作成するようにしてもよい。図１０では、商品情報提供サーバ１０が、図７に示すような通常の画面における基本価格が表示されている部分に基本価格を視認可能な状態で無効をすることを示す無効表示（×印）１０８ａ，１０８ｂを重畳し、基本価格が表示されている部分の近傍に該当商品についての変更価格を示す変更価格表示１０７ａ，１０７ｂを重畳することで、作成された商品情報閲覧画面の例が示されている。
【００３８】
商品情報提供サーバ１０からの商品情報閲覧画面を受信すると、消費者端末２１は、受信した商品情報閲覧画面を自己が備える表示装置に表示する（ステップＳ１０９）。
【００３９】
そして、消費者端末２１は、商品情報閲覧画面に掲載されている各商品についてユーザＡからの選択（購入を目的とする選択）を受け付け（ステップＳ１１０）、決定ボタン１０５が押下されたことに応じて選択された商品と個数とを含む商品選択情報を商品情報提供サーバ１０に送信する（ステップＳ１１１）。
【００４０】
商品情報提供サーバ１０は、商品選択情報を受信すると、選択された各商品についての該当ユーザＡに対する販売価格を決定する価格調整処理を行う（ステップＳ１１２）。ステップＳ１１２では、商品情報提供サーバ１０は、ユーザ情報（図３参照）を参照してユーザＡの属性を確認し、価格調整情報（図４参照）を参照してユーザＡの属性に対応する調整価格特定情報を確認し、商品マスタ（図２参照）を参照して選択された各商品についての販売価格を調整価格特定情報に従って決定する処理が実行される。ユーザＡの場合には、属性Ａで価格調整がなされていないため、商品マスタ（図２参照）における価格Ａとすることに決定される。ユーザＢであった場合には、属性Ｂで１０％割引することになっているため、商品マスタ（図２参照）における価格Ａの９割の価格が販売価格として算出される。
【００４１】
ユーザＡによって選択された各商品の販売価格を決定すると、商品情報提供サーバ１０は、決定した販売価格にて商品の注文を受け付ける注文受付処理を行う（ステップＳ１１３）。注文受付処理では、受注内容の登録や通知（ユーザや商品配送センターなどに対する通知）がなされる。注文受付処理を終えると、ここでの処理を終了する。
【００４２】
以上に説明したように、上述した一実施の形態では、食物や飲料物の商品に関する商品情報を消費者が使用する消費者端末２１に対して通信ネットワーク３０を介して提供する商品情報提供サーバ１０が、各商品の基本価格を含む商品情報を記憶する商品マスタＤＢ１１と、消費者の属性と、その属性に応じて商品の価格を調整するための調整情報（調整価格特定情報）とが対応付けされた価格調整情報を記憶する価格調整ＤＢ１３とを備え、消費者端末２１からの商品情報の提供要求があったときに、価格調整情報を参照して消費者の属性に応じた各商品の価格の調整内容を決定し、決定した調整内容に応じて、各商品の基本価格を含む商品情報が掲載された商品情報閲覧画面における価格表示を調整し、価格表示が調整された商品情報閲覧画面を消費者端末２１に送信する構成としたので、複数種類の価格が設定された商品についての価格を含む商品情報を各消費者に簡単かつ適切に提示することができるようになる。
【００４３】
すなわち、消費者の属性に応じて商品の価格の調整内容を決定し、決定した調整内容に応じて価格表示を調整した商品情報閲覧画面を提供する構成としているので、複数種類の価格が設定された商品についての商品情報を提供する場合に、価格別に異なる別個のサイトを構築することなく、低コストで意図する消費者に対してのみ変更価格を提示することが可能となり、商品情報を簡単かつ適切に提示することができるようになるのである。
【００４４】
また、上述した実施の形態では、調整情報（調整価格特定情報）が基本価格からの変動割合を示す変動情報であり、商品情報提供サーバ１０が、調整内容として、基本価格からの変動割合を決定する構成としているので、消費者の属性に応じて価格を所定割合変動させた商品情報閲覧画面を簡単かつ適切に提示することができるようになる。
【００４５】
また、上述した実施の形態では、商品情報提供サーバ１０が、決定した変動割合を表示する変動割合表示領域（図８の１０６参照）を商品情報閲覧画面の表示領域内（図８の１０３参照）に付加することで、商品情報閲覧画面における価格表示を調整する構成としているので、変動割合表示領域を付加するだけの簡単な処理で価格を所定割合変動させた商品情報閲覧画面を作成することが可能となり、商品情報閲覧画面を簡単かつ適切に提示することができるようになる。
【００４６】
また、上述した実施の形態では、調整情報（調整価格特定情報）が調整後の価格を示す調整価格情報であり、商品情報提供サーバ１０が、調整内容として、調整後の価格を決定する構成としているので、消費者の属性に応じて価格を変更した商品情報閲覧画面を簡単かつ適切に提示することができるようになる。
【００４７】
また、上述した実施の形態において、商品情報提供サーバ１０が、決定した調整後の価格を表示する調整後価格表示領域（図１０の１０７ａ，１０７ｂ参照）を商品情報閲覧画面の表示領域内（図１０の１０３ａ，１０３ｂ参照）に付加するとともに、その表示領域内における調整前の基本価格が表示されている基本価格表示領域上に当該基本価格を無効とすることを示す無効表示（図１０の１０８ａ，１０８ｂ参照）を追加することで、商品情報閲覧画面における価格表示を調整する構成とした場合には、調整後価格表示領域と無効表示を付加するだけの簡単な処理で価格を変更させた商品情報閲覧画面を作成することが可能となり、商品情報閲覧画面を簡単かつ適切に提示することができるようになる。
【００４８】
また、上述した実施の形態において、商品情報提供サーバ１０が、決定した調整後の価格を表示する調整後価格表示領域（図９の１０７ａ，１０７ｂ参照）を、商品情報閲覧画面の表示領域内（図１０の１０３ａ，１０３ｂ参照）における調整前の基本価格が表示されている基本価格表示領域上に付加することで、商品情報閲覧画面における価格表示を調整する構成とした場合には、調整後価格表示領域を付加するだけのさらに簡単な処理で価格を変更させた商品情報閲覧画面を作成することが可能となり、商品情報閲覧画面を簡単かつ適切に提示することができるようになる。
【００４９】
さらに、上述した実施の形態では、商品情報提供サーバ１０が、商品情報閲覧画面に表示された商品の注文を受け付け、注文が受け付けられた商品についての該当する消費者に対する販売価格を算出し、決定された調整内容に従って商品の価格を算出する構成としているので、各消費者に対して個別に提示した価格によって受注の際に決済することが可能となる。
【００５０】
なお、上述した実施の形態では、価格調整情報は固定情報として用いるようにしていたが、価格調整情報を条件に応じて変更するようにしてもよい。例えば、属性Ｄの消費者に対して限定１００人（あるいは限定１００個）まで５０％ＯＦＦという調整価格特定情報を設定しておき、商品情報提供サーバ１０が、その数に達したときに調整価格特定情報を価格Ｃなどの変更するようにしてもよい。このように構成すれば、属性が同じ消費者に対して異なる価格を提示することが可能となり、利便性を向上させることができるようになる。
【００５１】
また、上述した実施の形態では特に言及していないが、商品情報提供システム１００を構成する商品情報提供サーバは、自己が備える記憶媒体に格納されている処理プログラム（商品情報提供処理プログラム）に従って、上述した各種の処理（図５参照）を実行する。
【産業上の利用可能性】
【００５２】
本発明によれば、複数種類の価格が設定された商品についての価格を含む商品情報を各消費者に簡単かつ適切に提示するのに有用である。
【符号の説明】
【００５３】
１０          商品情報提供サーバ
１１          商品マスタＤＢ
１２          ユーザＤＢ
１３          価格調整ＤＢ
２１〜２Ｎ    消費者端末
１００        商品情報提供システム
【図１】
2010257088.tif 000003
【図２】
2010257088.tif 000004
【図３】
2010257088.tif 000005
【図４】
2010257088.tif 000006
【図５】
2010257088.tif 000007
【図６】
2010257088.tif 000008
【図７】
2010257088.tif 000009
【図８】
2010257088.tif 000010
【図９】
2010257088.tif 000011
【図１０】
2010257088.tif 000012